(57)【要約】      （修正有）【課題】長期間使用した後にも良好な使用感を保持するマウスを提供する。【解決手段】下ケースと、上ケースと、回路基板と、ボタンとを備える。上ケースは下ケースに被せるように設置され、上ケースと下ケースとの間には収容空間が形成される。回路基板は収容空間内に固設され、回路基板上には電子スイッチが設置される。ボタンはタッチパッド４１と、接合軸４２と、ねじりバネとを含み、タッチパッドの下表面には電子スイッチに対応する箇所に押圧部が凸設され、タッチパッドは接合軸により上ケースの上表面の前部に枢接され、且つ電子スイッチに対して上下に往復運動を行う。ねじりバネは対応する接合軸に枢接され、上ケースに弾性により当接される第一スプリング端部４３１及びタッチパッドの上表面に弾性により当接される第二スプリング端部４３２を備え、第二スプリング端部はタッチパッドに弾性により当接されると共にタッチパッドに対して下に向けての圧力を加え、圧力は電子スイッチを動作させるのに必要な圧力より小さい。【選択図】図７
0003211572.tif 000002
【実用新案登録請求の範囲】
【請求項１】
下ケースと、
前記下ケースに被せるように設置され、前記下ケースとの間に収容空間が形成される上ケースと、
前記収容空間内に固設され、上表面の前部には少なくとも１つの電子スイッチが設置される回路基板と、
タッチパッド、接合軸及びねじりバネからなり、前記タッチパッドの下表面の前記電子スイッチに対応する箇所には押圧部が凸設され、前記タッチパッドは対応する前記接合軸により横方向に配列されるように前記上ケースの上表面の前部に枢接され、且つ前記電子スイッチに対して上下に往復運動を行い、前記ねじりバネは対応する前記接合軸に枢接され、前記上ケースに弾性により当接される第一スプリング端部及び前記タッチパッドの上表面に弾性により当接される第二スプリング端部とを含み、前記ねじりバネの前記第一スプリング端部及び前記第二スプリング端部が前記上ケースでそれぞれ作用し且つ前記タッチパッドの曲げ応力により、前記第二スプリング端部が前記タッチパッドに弾性により当接されると共に前記タッチパッドに対して下に向けての圧力を加え、前記下に向けての圧力は前記電子スイッチを動作させるのに必要な圧力より小さく、前記押圧部の下表面が前記電子スイッチに当着されるが前記電子スイッチを動作させない少なくとも１つのボタンとを備えることを特徴とするマウス。
【請求項２】
前記上ケースはケース及び固定板を備え、前記ケースの上表面の中央部には固定板溝部が凹設され、前記固定板は前記固定板溝部内の後部に固設され、前記２つのタッチパッドの下表面の後部には共に前記タッチパッドの後表面から後向きに延出されるカンチレバーが設置され、前記２つのカンチレバーは共に前記接合軸により横方向に配列されて固定板に枢接され、前記ねじりバネの前記第一スプリング端部は前記固定板に弾性により当接され、前記ねじりバネの前記第二スプリング端部は前記カンチレバーの上表面に弾性により当接されることを特徴とする、請求項１に記載のマウス。
【請求項３】
前記固定板の前端縁には少なくとも１組の第一固持部が凸設され、前記各組の第一固持部は全て間隔をあけて設置されると共に横方向に配列される第一固持部を備え、前記各第一固持部は全て左右に貫通させるための第一固持孔が設けられ、前記２つのカンチレバーの後端は２組の前記第一固持部に対応するように全て間隔をあけて設置されると共に横方向に配列される２つの第二固持部が固設され、前記２つの第二固持部の間の間隔は各組の前記第一固持部の２つの前記第一固持部の間の間隔より小さく、各前記第二固持部には全て左右に貫通させるための第二固持孔が設けられ、前記２つのカンチレバーの２つの前記第二固持部は対応するように１組の前記第一固持部の２つの前記第一固持部の間にそれぞれ装設され、各前記第二固持孔は全て各前記第一固持孔に対して位置を合わせられ、前記２つの接合軸は対応する各前記第二固持孔及び前記第一固持孔をそれぞれ貫通させ、２つの前記カンチレバーが前記固定板にそれぞれ枢接されることを特徴とする、請求項２に記載のマウス。
【請求項４】
前記固定板の上表面の中央部には溝部が下向きに開設され、前記固定板は前記溝部の４つの側面に前後左右の４つの側壁が形成され、前記前方の側壁の各組の前記第一固持部の２つの前記第一固持部の間には全て固定用溝部が開設され、前記ねじりバネは二重ねじりバネであり、間隔をあけて設置される２つの前記スプリング本体部及び２つの前記スプリング本体部が連接される前記第一スプリング端部を有し、２つの前記スプリング本体部の末端には共に前に向けて延伸された後に外に向けて延伸される２つの第二スプリング端部が連接され、前記各カンチレバーの上表面には全て互いに対称になるＬ字形を呈する２つの凸部が凸設され、前記各ねじりバネの２つの前記スプリング本体部は共に前記接合軸に覆設され、前記第一スプリング端部は前記固定用溝部にそれぞれ内設され、前記２つの第二スプリング端部は２つの前記凸部の内側にそれぞれ当接されることを特徴とする、請求項３に記載のマウス。
【請求項５】
前記カンチレバーの上表面の２つの前記凸部の対応し合う２つの側面は２つの前記第二固持部の対応し合う２つの側面の間に対応するようにそれぞれ設置されることを特徴とする、請求項４に記載のマウス。
【請求項６】
前記ケース及び前記固定板には相互に適合する複数の係合及び固定孔が設けられることを特徴とする、請求項２に記載のマウス。
【請求項７】
前記ケースの上表面の前部にはボタン凹部が開設され、前記ボタン凹部の底壁には横方向に配列されると共に前記収容空間に連通される２つの押圧孔が開設され、前記２つのタッチパッドは横方向に配列されるように前記ボタン凹部に装設され、前記２つの押圧部は対応する前記押圧孔内にそれぞれ収容されることを特徴とする、請求項２に記載のマウス。
【請求項８】
ホイールを更に備え、前記ボタン凹部の底壁には２つの前記押圧孔の間に第一ホイール孔が更に設けられ、前記タッチパッドには前記第一ホイール孔に対応する箇所に第二ホイール孔が開設され、前記ホイールは前記回路基板に装設され、前記ホイールの上部は前記第一ホイール孔及び前記第二ホイール孔内に収容されると共に２つの前記タッチパッドの上表面から突出されることを特徴とする、請求項７に記載のマウス。
【請求項９】
後ケースを更に備え、前記後ケースは前記下ケース及び前記ケースの後部に被せるように設置され、且つ前記カンチレバー及び前記固定板はその内部に被装されることを特徴とする、請求項２に記載のマウス。
【考案の詳細な説明】
【技術分野】
【０００１】
本考案は、マウスに関し、より詳しくは、長期間使用した後も良好な使用感を保持するマウスに関する。
【背景技術】
【０００２】
科学技術の不断の進歩につれて、人々は日常的に電子製品を使用するようになり、特にパソコンは人々の日常生活において必需品となっている。これには、オフィスやゲーム等で使用する際の使用感を高めるために、マウスが重要になっている。
【０００３】
従来のマウス１００'（図１及び図２参照）は、下ケース１０'と、上ケース２０'と、回路基板３０'と、ボタン４０'と、後ケース５０'とを備える。前記上ケース２０'は下ケース１０'に被せるように設置され、上ケース２０'と下ケース１０'との間には収容空間（図示せず）が形成され、前記回路基板３０'は収容空間内に固設され、回路基板３０'の上表面の前部には横方向に配列される２つの電子スイッチ３１'が設置される。前記上ケース２０'の２つの電子スイッチ３１'に対応する箇所には収容空間に連通される押圧孔２１'がそれぞれ開設される。前記ボタン４０'は固定板４１'と、それぞれ横方向に配列されるように固定板の前端に連接される２つのカンチレバー４２'と、２つのカンチレバー４２'の前端縁にそれぞれ固設されるタッチパッド４３'とを含み、前記２つのタッチパッド４３'の下表面には共に押圧部４４'が凸設される。前記固定板４１'は上ケース２０'の上表面の中央部に固設され、前記２つのタッチパッド４３'は横方向に配列されるように上ケース２０'の上表面の前部に設置され、２つの押圧部４４'は押圧孔２１'内にそれぞれ収容されると共に対応する電子スイッチ３１'にそれぞれ当着される。前記後ケース５０'は下ケース１０'及び上ケース２０'の後部に被せるように設置されると共にカンチレバー４２'及び固定板４１'がその内部に被装される。
【考案の概要】
【考案が解決しようとする課題】
【０００４】
しかしながら、前述した図１、図３及び図４から分かるように、従来のボタン４０'のタッチパッド４３'は使用者から下に押されて圧力を受けた場合のみ下に向けて運動し、使用者が下に押していない場合、タッチパッド４３'は元の位置に戻り、押圧部４４'の下表面は電子スイッチ３１'と接触した状態を保つが電子スイッチ３１'を動作させない。従来のマウス１００'は長時間使用された後には、押圧部４４'と電子スイッチ３１'との接触点に部分的な摩損が生じ、使用者が使用する際に押圧部４４'の摩損箇所と電子スイッチ３１'との間に空打ちが生じ、使用時にマウス１００'に不具合が生じたり、使用感が低下したりした。そこで、本考案者は上記の欠点が改善可能と考え、鋭意検討を重ねた結果、合理的設計で上記の課題を効果的に改善する本考案のマウスの提案に到った。
【０００５】
かかる従来の実情に鑑みて、本考案は、従来の技術に存在する欠陥及び不足に対して長期間使用した後にも良好な使用感を保持するマウスを提供する。
【課題を解決するための手段】
【０００６】
上述した課題を解決し、目的を達成するために、本考案に係るマウスは、下ケースと、上ケースと、回路基板と、少なくとも１つのボタンとを備える。前記上ケースは下ケースに被せるように設置され、上ケースと下ケースとの間には収容空間が形成される。前記回路基板は収容空間内に固設され、上表面の前部には電子スイッチが設置される。前記ボタンはタッチパッドと、接合軸と、ねじりバネとを含み、前記タッチパッドの下表面には電子スイッチに対応する箇所に押圧部が凸設される。タッチパッドは対応する接合軸により横方向に配列されるように上ケースの上表面の前部に枢接され、且つ電子スイッチに対して上下に往復運動を行う。前記ねじりバネは対応する接合軸にそれぞれ枢接され、上ケースに弾性により当接される第一スプリング端部及びタッチパッドの上表面に弾性により当接される第二スプリング端部で構成される。ねじりバネの第一スプリング端部及び第二スプリング端部が上ケースでそれぞれ作用し且つタッチパッドの曲げ応力により、第二スプリング端部がタッチパッドに弾性により当接されると共にタッチパッドに対して下に向けての圧力を加え、前記下に向けての圧力は電子スイッチを動作させるのに必要な圧力より小さい。これにより、押圧部の下表面が電子スイッチに当着されるが電子スイッチを動作させなくなる。
【考案の効果】
【０００７】
以上のとおり、本考案に係るマウスはボタンと上ケースとの間をねじりバネ及び接合軸により接合させ、ねじりバネの第一スプリング端部及び第二スプリング端部が上ケースでそれぞれ作用し且つタッチパッドの曲げ応力により、第二スプリング端部がタッチパッドに対して下に向けての圧力を加え、前記下に向けての圧力は電子スイッチを動作させるのに必要な圧力より小さく、このため押圧部の下表面が電子スイッチに当着されても電子スイッチが動作されない。本考案に係るマウスは長期間使用されて押圧部が摩損された後に、押圧部が電子スイッチに当着されても空打ちが生じず、このため本考案に係るマウスは長期間使用された後にも良好な使用感を保持させる。
【図面の簡単な説明】
【０００８】
【図１】従来のマウスを示す外観斜視図である。
【図２】従来のマウスを示す分解図である。
【図３】従来のマウスの押圧部が電子スイッチに当接されるのを示す概略図である。
【図４】図３に示す既存のマウスのボタンが長時間使用された後、押圧部が摩損を発生させる概略図である。
【図５】本考案の好ましい実施形態によるマウスを示す外観斜視図である。
【図６】図５に示す本考案のマウスを示す分解図である。
【図７】図６に示すＶＩＩの部分拡大図である。
【図８】図５に示す本考案のマウスを他の角度から見た分解図である。
【図９】本考案のマウスのボタン及び固定板を示す分解図である。
【考案を実施するための形態】
【０００９】
以下、図面を参照して本考案に係るマウスの実施形態について説明する。
尚、以下に説明する実施の形態は、実用新案登録請求の範囲に記載された本考案の内容を限定するものではない。また、以下に説明される構成の全てが、本考案の必須要件であるとは限らない。
【実施形態】
【００１０】
以下、図５〜９を参照しながら、本考案の実施形態をさらに詳しく説明する。本考案のマウス１００は、上ケース１０と、下ケース２０と、回路基板３０と、少なくとも１つのボタン４０と、ホイール５０と、後ケース６０とを備える（図５及び図６参照）。
【００１１】
続いて、前記上ケース１０は下ケース２０に被せるように設置され、上ケース１０と下ケース２０との間には収容空間（図示せず）が形成される。前記回路基板３０は収容空間内に固設され、前記回路基板３０の上表面の前部には少なくとも１つの電子スイッチ３１が設置される。具体的には、前記回路基板３０の上表面の前部には横方向に配列される２つの電子スイッチ３１が設置される。
【００１２】
また、前記上ケース１０はケース１１及び固定板１２を備える（図６乃至図９参照）。前記ケース１１の上表面の前部にはボタン凹部１１０が開設され、前記ボタン凹部１１０の底壁には横方向に配列されると共に収容空間に連通される２つの押圧孔１１１が開設され、前記ボタン凹部１１０の底壁には２つの押圧孔１１１の間に第一ホイール孔１１２が更に設けられる。前記ケース１１の上表面の中央部には固定板溝部１１３が更に凹設され、前記固定板１２は固定板溝部１１３内の後部に固設され、前記ケース１１及び固定板１２には相互に適合する複数の係合１３及び固持孔１４が設けられる。具体的には、前記固定板１２の下表面の両側には２つの係合１３が凸設され、ケース１１は固定板溝部１１３の底壁に２つの係合１３に対応する箇所に２つの固持孔１４が下向きに開設される。前記固定板１２が固定板溝部１１３内に装設されると、係合１３が固持孔１４を貫通させて固定板１２に係合されて固定される。前記固定板１２の前端縁には少なくとも１組の第一固持部１２１が凸設される。具体的には、本実施形態において、前記固定板１２の前端縁には横方向に配列されるように２組の第一固持部１２１が凸設され、前記各組の第一固持部１２１は全て間隔をあけて設置されると共に横方向に配列される２つの第一固持部１２１を備え、前記各第一固持部１２１には全て左右に貫通させるための第一固持孔１２２が設けられる。前記固定板１２の上表面の中央部には溝部１２３が下向きに開設され、固定板１２は溝部１２３の４つの側面に前後左右の４つの側壁が形成される。前方の側壁１２４には各組の第一固持部１２１の２つの第一固持部１２１の間に全て固定用溝部１２５が開設される。
【００１３】
本実施形態において、本考案のマウス１００は２つのボタン４０を備え、前記２つのボタン４０は共にタッチパッド４１と、接合軸４２と、ねじりバネ４３とを含む（図８及び図９参照）。前記２つのタッチパッド４１は対応する接合軸４２によりそれぞれ横方向に配列されて上ケース１０の上表面の前部に枢接されると共に電子スイッチ３１に対して上下に往復運動を行う。
【００１４】
なお、図５乃至図９に示すように、前記２つのタッチパッド４１は横方向に配列されるように前記ボタン凹部１１０の裏に装設される。前記２つのタッチパッド４１の下表面には共に電子スイッチ３１に対応するように押圧部４１１が凸設され、前記２つの押圧部４１１は対応する押圧孔１１１内にそれぞれ収容される。前記２つのタッチパッド４１の下表面の後部には全てタッチパッド４１の後表面から後向きに延出されるカンチレバー４１２が設置され、前記２つのカンチレバー４１２の後端には固定板１２の２組の第一固持部１２１に対応するように間隔をあけて設置されると共に横方向に配列される２つの第二固持部４１３が固設され、各第二固持部４１３には共に左右に貫通させるための第二固持孔４１４が設けられる。前記２つの第二固持部４１３の間の間隔は各組の第一固持部１２１の２つの第一固持部１２１の間の間隔より小さく、前記２つのカンチレバー４１２の２つの第二固持部４１３は対応するように１組の第一固持部１２１の２つの第一固持部１２１の間にそれぞれ装設される。各第二固持孔４１４は全て各第一固持孔１２２に対して位置を合わせられ、前記２つの接合軸４２は対応する各第二固持孔４１４及び第一固持孔１２２をそれぞれ貫通させ、２つのカンチレバー４１２が固定板１２にそれぞれ枢接される。前記各カンチレバー４１２の上表面には全て互いに対称になるＬ字形を呈する２つの凸部４１５が凸設され、前記２つの凸部４１５の対応し合う２つの側面は２つの第二固持部４１３の対応し合う２つの側面の間にそれぞれ設けられる。前記タッチパッド４１の第一ホイール孔１１２に対応する箇所には第二ホイール孔４４が開設される。具体的には、前記２つのタッチパッド４１の隣接する両側の第一ホイール孔１１２に対応する箇所には互いに対称になる開口溝部４１６がそれぞれ開設され、２つの開口溝部４１６は前記第二ホイール孔４４を形成させ、前記ホイール５０は回路基板３０に装設され、ホイール５０の上部は第一ホイール孔１１２及び第二ホイール孔４４内に収容されると共に２つのタッチパッド４１の上表面から突出される。
【００１５】
図６、図７及び図９に示すように、前記２つのねじりバネ４３は対応する接合軸４２にそれぞれ枢接され、共に上ケース１０の固定板１２に弾性により当接される第一スプリング端部４３１及びタッチパッド４１のカンチレバー４１２の上表面に弾性により当接される第二スプリング端部４３２を備える。ねじりバネ４３の第一スプリング端部４３１及び第二スプリング端部４３２が上ケース１０の固定板１２でそれぞれ作用し且つタッチパッド４１のカンチレバー４１２の曲げ応力により、第二スプリング端部４３２がタッチパッド４１に弾性により当接されると共にタッチパッド４１に下に向けての圧力を加え、前記下に向けての圧力は電子スイッチ３１を動作させるのに必要な圧力より小さい。このため、押圧部４１１の下表面が電子スイッチ３１に当着されても電子スイッチ３１が動作されない。
【００１６】
さらに、前記２つのねじりバネ４３は共に二重ねじりバネであり、各ねじりバネ４３は全て間隔をあけて設置される２つのスプリング本体部４３３及び２つのスプリング本体部４３３に連接される第一スプリング端部４３１を有し、２つのスプリング本体部４３３の末端には共に前に向けて延伸された後に外に向けて延伸される２つの第二スプリング端部４３２が連接される（図７參照）。前記各ねじりバネ４３の２つのスプリング本体部４３３は共に接合軸４２に覆設され、前記第一スプリング端部４３１は固定用溝部１２５内にそれぞれ設置される。前記２つの第二スプリング端部４３２がカンチレバー４１２の上表面にそれぞれ当着されると共に２つの凸部４１５の内側に当接されると、凸部４１５が第二スプリング端部４３２を固定させる作用を発生させる。
【００１７】
前記後ケース６０は下ケース２０及びケース１１の後部に被せるように設置されると共にカンチレバー４１２及び固定板１２がその内部に被装される（図５及び図６参照）。
【００１８】
上述したように、本考案に係るマウス１００はボタン４０と上ケース１０との間がねじりバネ４３及び接合軸４２により接合され、２つのねじりバネ４３は共に上ケース１０に弾性により当接される第一スプリング端部４３１及びタッチパッド４１の上表面に弾性により当接される第二スプリング端部４３２を備える。ねじりバネ４３の第一スプリング端部４３１及び第二スプリング端部４３２が上ケース１０でそれぞれ作用し且つタッチパッド４１の曲げ応力により、第二スプリング端部４３２がタッチパッド４１に対して下に向けての圧力を加え、前記下に向けての圧力は電子スイッチ３１を動作させるのに必要な圧力より小さく、このため押圧部４１１の下表面が電子スイッチ３１に当着されるが電子スイッチ３１を動作させない。本考案に係るマウス１００は長期間押圧部４１１が使用されて摩損された後でも、押圧部４１１が電子スイッチ３１に当着されて空打ちを発生させない。よって、本考案に係るマウス１００は長期間使用された後でも良好な使用感を保持させる。
【００１９】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２０】
１００  マウス
１０  上ケース
１１  ケース        
１１０  ボタン凹部
１１１  押圧孔
１１２  第一ホイール孔
１１３  固定板溝部    
１２  固定板
１２１  第一固持部
１２２  第一固持孔
１２３  溝部
１２４  側壁
１２５  固定用溝部
１３  係合
１４  固持孔
２０  下ケース
３０  回路基板
３１  電子スイッチ
４０  ボタン
４１  タッチパッド
４１１  押圧部
４１２  カンチレバー
４１３  第二固持部
４１４  第二固持孔
４１５  凸部
４１６  開口溝部
４２  接合軸
４３  ねじりバネ
４３１  第一スプリング端部
４３２  第二スプリング端部
４３３  スプリング本体部
４４  第二ホイール孔
５０  ホイール
６０  後ケース
【図１】
0003211572.tif 000003
【図２】
0003211572.tif 000004
【図３】
0003211572.tif 000005
【図４】
0003211572.tif 000006
【図５】
0003211572.tif 000007
【図６】
0003211572.tif 000008
【図７】
0003211572.tif 000009
【図８】
0003211572.tif 000010
【図９】
0003211572.tif 000011